(57)【要約】【課題】  射手が硝煙を吸い込みにくい射撃訓練装置を提供することを目的とする。【解決手段】  射撃訓練装置１は、輸送用コンテナなど、周囲を包囲された空間を形成する構造物内の、一方に射撃領域１４が設けられ、他方に標的３を含む標的領域１５が設けられる。射手５は拳銃６を用いて射撃領域１４に立ち、標的３に向けて射撃訓練を行う。  射撃訓練装置１は、気体移動手段によって、射撃領域１４の気体を標的領域１５の方向へ動かすことにより、射手５が発砲したときに発生する硝煙を射手５から効率よく遠ざけ、射手５が硝煙を吸い込みにくくする。【選択図】  図１
2020197344.tif 000002
【特許請求の範囲】
【請求項１】
射撃領域と標的領域とを備えた射撃訓練装置であって、
包囲された空間を形成し、前記射撃領域と前記標的領域とを備えた構造物と、
前記射撃領域の気体を前記標的領域の方向へ動かす気体移動手段とを備えた、射撃訓練装置。
【請求項２】
前記気体移動手段は、
前記射撃領域に設けられ、前記構造物の内部から外部へ繋がる第１開口と、
前記標的領域に設けられ、前記構造物の内部から外部へ繋がる第２開口と、
前記第１開口に設けられ、前記構造物の外部から内部へ気体を流入させる気体流入手段とを備える、請求項１記載の射撃訓練装置。
【請求項３】
前記気体移動手段は、
前記射撃領域に設けられ、前記構造物の内部から外部へ繋がる第１開口と、
前記標的領域に設けられ、前記構造物の内部から外部へ繋がる第２開口と、
前記第２開口に設けられ、前記構造物の内部から外部へ気体を排出させる気体排出手段とを備える、請求項１又は請求項２記載の射撃訓練装置。
【請求項４】
前記第１開口は、
射手の顔の高さと同等の高さ又はそれより低い位置に設けられる、請求項２又は請求項３記載の射撃訓練装置。
【請求項５】
前記第２開口は、
前記第１開口より高い位置に設けられる、請求項４記載の射撃訓練装置。
【請求項６】
前記射撃訓練装置は、前記標的領域に標的及び、前記標的の射手と逆側に停弾材を備え、
前記第２開口は、射手が構えた拳銃を光源とした場合に、前記停弾材が前記構造物の内面に投影された範囲に設けられる、請求項２又は請求項３記載の射撃訓練装置。
【請求項７】
前記第２開口は、前記構造物の上方領域に設けられた、請求項６記載の射撃訓練装置。
【請求項８】
前記構造物は輸送用コンテナにより構成される、請求項１記載の射撃訓練装置。
【発明の詳細な説明】
【技術分野】
【０００１】
本発明は、射撃訓練装置に関し、特に移動可能な射撃訓練装置に関するものである。
【背景技術】
【０００２】
警察官や自衛官の射撃訓練は、室内施設もしくは屋外の専用区域で行われる。そのため、訓練場所が限られており、訓練のたびに移動しなければならない。
【０００３】
そこで、特許文献１及び特許文献２のように、トレーラーによって移動可能なコンテナを利用した射撃訓練装置が提案されている。
【先行技術文献】
【特許文献】
【０００４】
【特許文献１】実開平２−７７４９４号公報
【特許文献２】特開平３−９５３９９号公報
【発明の概要】
【発明が解決しようとする課題】
【０００５】
コンテナのような密閉空間での射撃訓練では硝煙が充満するため、換気する手段を備えることが必要になる。しかしながら特許文献１には、エアーコンディショナーを装備することについて記載はあるものの硝煙の排気についての説明は無い。又、特許文献２では、射手の頭上やや後方に特別排風装置が設けられているが、硝煙が射手の顔に近づく方向に移動するため、煙を吸い込みやすくなる。
【０００６】
本発明は、上記のような課題を解決するためになされたもので、射手が硝煙を吸い込みにくい射撃訓練装置を提供することを目的とする。
【課題を解決するための手段】
【０００７】
上記の目的を達成するために、請求項１記載の発明は、射撃領域と標的領域とを備えた射撃訓練装置であって、包囲された空間を形成し、射撃領域と標的領域とを備えた構造物と、射撃領域の気体を標的領域の方向へ動かす気体移動手段とを備えたものである。
【０００８】
このように構成すると、硝煙が射手から遠ざかる。
【０００９】
請求項２記載の発明は、請求項１記載の発明の構成において、気体移動手段は、射撃領域に設けられ、構造物の内部から外部へ繋がる第１開口と、標的領域に設けられ、構造物の内部から外部へ繋がる第２開口と、第１開口に設けられ、構造物の外部から内部へ気体を流入させる気体流入手段とを備えるものである。
【００１０】
このように構成すると、射手の近くから気体を流入させる。
【００１１】
請求項３記載の発明は、請求項１又は請求項２記載の発明の構成において、気体移動手段は、射撃領域に設けられ、構造物の内部から外部へ繋がる第１開口と、標的領域に設けられ、構造物の内部から外部へ繋がる第２開口と、第２開口に設けられ、構造物の内部から外部へ気体を排出させる気体排出手段とを備えるものである。
【００１２】
このように構成すると、空気が拡散されずに第２開口へ流れやすい。
【００１３】
請求項４記載の発明は、請求項２又は請求項３記載の発明の構成において、第１開口は、射手の顔の高さと同等の高さ又はそれより低い位置に設けられるものである。
【００１４】
このように構成すると、射手の顔付近の気体が標的領域の方向へ動かされる。
【００１５】
請求項５記載の発明は、請求項４記載の発明の構成において、第２開口は、第１開口より高い位置に設けられるものである。
【００１６】
このように構成すると、硝煙を効率よく排出できる。
【００１７】
請求項６記載の発明は、請求項２又は請求項３記載の発明の構成において、射撃訓練装置は、標的領域に標的及び、標的の射手と逆側に停弾材を備え、第２開口は、射手が構えた拳銃を光源とした場合に、停弾材が構造物の内面に投影された範囲に設けられるものである。
【００１８】
このように構成すると、弾丸が標的を外れても標的領域側の気体移動手段に当たりにくい。
【００１９】
請求項７記載の発明は、請求項６記載の発明の構成において、第２開口は、構造物の上方領域に設けられたものである。
【００２０】
このように構成すると、気体が上方向へ流れる。
【００２１】
請求項８記載の発明は、請求項１記載の発明の構成において、構造物は輸送用コンテナにより構成されるものである。
【００２２】
このように構成すると、トレーラーによって移動可能である。
【発明の効果】
【００２３】
以上説明したように、請求項１記載の発明は、硝煙が射手から遠ざかるので、射手が硝煙を吸い込みにくい。
【００２４】
請求項２記載の発明は、請求項１記載の発明の効果に加えて、射手の近くから気体を流入させるので、射手から効率良く硝煙を遠ざけることができる。
【００２５】
請求項３記載の発明は、請求項１又は請求項２記載の発明の効果に加えて、空気が拡散されずに第２開口へ流れやすいので、射手が硝煙を吸い込みにくい。
【００２６】
請求項４記載の発明は、請求項２又は請求項３記載の発明の効果に加えて、射手の顔付近の気体が標的領域の方向へ動かされるので、より硝煙を吸い込みにくくなる。
【００２７】
請求項５記載の発明は、請求項４記載の発明の効果に加えて、硝煙を効率よく排出できるので、より硝煙を吸い込みにくくなる。
【００２８】
請求項６記載の発明は、請求項２又は請求項３記載の発明の効果に加えて、弾丸が標的を外れても標的領域側の気体移動手段に当たりにくいので、気体移動手段の破損を防止できる。
【００２９】
請求項７記載の発明は、請求項６記載の発明の効果に加えて、気体が上方向へ流れるので、硝煙を効率よく排出できる。
【００３０】
請求項８記載の発明は、請求項１記載の発明の効果に加えて、トレーラーによって移動可能なので、任意の場所に射撃訓練装置を設置できる。
【図面の簡単な説明】
【００３１】
【図１】この発明の第１の実施の形態による射撃訓練装置の概略側面図である。
【図２】この発明の第２の実施の形態による射撃訓練装置の概略側面図であって、図１に対応するものである。
【図３】この発明の第３の実施の形態による射撃訓練装置の概略側面図であって、図１に対応するものである。
【図４】この発明の第４の実施の形態による射撃訓練装置の概略側面図であって、図１に対応するものである。
【図５】この発明の第５の実施の形態による射撃訓練装置の概略側面図であって、図１に対応するものである。
【発明を実施するための形態】
【００３２】
図１はこの発明の第１の実施の形態による射撃訓練装置の概略側面図である。同図を参照して、射撃訓練装置１の基本的構成について説明する。射撃訓練装置１は、射撃領域１４と標的領域１５とを備え、包囲された空間を形成し、射撃領域１４と標的領域１５とを備えた構造物としてのコンテナ２と、射撃領域１４の気体を標的領域１５の方向へ動かす気体移動手段として第１開口７、第２開口８及び気体排出手段９を備える。
【００３３】
以下、各構成について説明する。
【００３４】
コンテナ２は、例えば輸送用の４０フィートコンテナであり、トレーラーによって移動可能であり、移動先においてコンテナ２を吊りおろして設置可能であり、訓練終了後にはトレーラーによって撤収することができる。コンテナ２の内面は、跳弾防止材が取り付けられている。
【００３５】
コンテナ２の図１における左側に射手５が射撃する射撃位置１１を設け、右側に標的３を設け、更に右側に停弾材４を設け、射手５が拳銃６を用いて射撃位置１１から標的３に向けて射撃訓練を行う配置となっている。標的３は拳銃６による射撃訓練用の標的である。停弾材４は、射撃訓練において発砲された弾丸を回収する停弾装置であり、例えば特開２０１５−０７５２６２に開示したような停弾装置を利用可能である。
【００３６】
射撃位置１１を含む射撃領域１４には、図１における左端の壁に、コンテナ２の内部から外部へ繋がる開口である第１開口７を設ける。第１開口７は、射手５の顔の高さより低い位置に設けられる。第１開口７を設ける高さの目安としては、警察及び自衛隊の身長についての規定が１５０ｃｍ以上であることから、本実施の形態で第１開口７は、床から１３００〜１５００ｍｍに設けるとした。
【００３７】
標的３を含む標的領域１５には、図１における右側の壁に、コンテナ２の内部から外部へ繋がる開口である第２開口８が設けられる。第２開口８にはコンテナ２の内部の空気を外部へ排出する例えば排気ファンのような気体排出手段９が設置されている。第２開口８は、第１開口７よりも高い位置で、且つ、拳銃６を光源とした場合に、投影線１２ａ、１２ｂが示す、停弾材４がコンテナ２の内面に投影される斜線の範囲に設けられる。これにより、発射された弾丸が停弾材４を外れても第２開口８及び気体排出手段９に当たりにくく、第２開口８及び気体排出手段９の破損を防止できる。
【００３８】
次に、空気の流れ及び硝煙について説明する。
【００３９】
気体排出手段９によってコンテナ２内の空気が第２開口８から外部に排出されるため、射撃領域１４の空気は標的領域１５の方向へと動き、射撃領域１４の圧力は外気に対して負圧となり、第１開口７からコンテナ２の内部に外部の空気が流入し、空気は流路１０のように動く。射撃領域１４の空気が標的領域１５の方向へと動かされるため、拳銃６から発砲した際に拳銃６の周囲に発生する硝煙は空気と共に流路１０の方向に動かされてコンテナ２の外部へと排出される。
【００４０】
このように、硝煙が射手５から遠ざかる方向へ動くため、射手５が硝煙を吸い込みにくい。又、コンテナ２内が負圧となるため、硝煙が拡散しにくく、効率よく外部へ排出できる。
【００４１】
図２は、この発明の第２の実施の形態による射撃訓練装置の概略側面図であって、図１に対応するものである。
【００４２】
尚、説明に当たっては、基本的には第１の実施の形態によるものと同一であるため、その相違点を中心に説明する。
【００４３】
同図を参照して、この実施の形態による射撃訓練装置２１は、第２開口８及び気体排出手段９がコンテナ２の天井に設置されており、第２開口８の射撃領域１４側の天井に更に停弾材２４を設置する。
【００４４】
第１開口７を射手５の顔の高さより低い位置に設けられ、第２開口８及び気体排出手段９をコンテナ２の上方領域である天井に設けたことにより、第１開口７から侵入した空気が射手５の顔の付近を通って標的領域１５の上方領域へ流れるため、射手５の顔付近の硝煙を効率良く射手５から遠ざけることができる。又、第２開口８及び気体排出手段９は、拳銃６を光源とした場合に、投影線１２ｃ、１２ｄが示す、停弾材２４がコンテナ２の内面に投影される斜線の範囲に設けられるため、発砲された弾丸が当たりにくい。
【００４５】
図３は、この発明の第３の実施の形態による射撃訓練装置の概略側面図であって、図１に対応するものである。
【００４６】
尚、説明に当たっては、基本的には第１の実施の形態によるものと同一であるため、その相違点を中心に説明する。
【００４７】
同図を参照して、この実施の形態による射撃訓練装置３１は、第１開口７に、気体移動手段の一部として外部の空気をコンテナ２の内部へ流入させる、例えば給気ファンのような気体流入手段３９が設置されており、気体排出手段９を設けていない。
【００４８】
この構成によると、気体流入手段３９によって第１開口７からコンテナ２の外部の空気が内部へ流入されてコンテナ２の内部が外気に対して正圧となり、射手５の後方から顔に近い位置の空気を動かして、射撃領域１４の空気が標的領域１５の方向へ積極的に流されるので、硝煙を射手５から遠ざかる方向へ効率よく移動させることができ、第２開口８からコンテナ２の外部へ排出される。
【００４９】
図４は、この発明の第４の実施の形態による射撃訓練装置の概略側面図であって、図１に対応するものである。
【００５０】
尚、説明に当たっては、基本的には第１の実施の形態によるものと同一であるため、その相違点を中心に説明する。
【００５１】
同図を参照して、この実施の形態による射撃訓練装置４１は、排気ファンのような気体排出手段９及び給気ファンのような気体流入手段３９を設置している。
【００５２】
この実施の形態では、気体移動手段の一部として気体排出手段９及び気体流入手段３９を設置しているため、コンテナ２の内部が常圧に近い状態になるため、射撃訓練においてより好ましい状態となる。又、気体排出手段９及び気体流入手段３９の負担を軽減できる。
【００５３】
図５は、この発明の第５の実施の形態による射撃訓練装置の概略側面図であって、図１に対応するものである。
【００５４】
尚、説明に当たっては、基本的には第１の実施の形態によるものと同一であるため、その相違点を中心に説明する。
【００５５】
同図を参照して、この実施の形態による射撃訓練装置５１は、排気ファンのような気体排出手段９及び給気ファンのような気体流入手段３９を設置していない。
【００５６】
この構成では、コンテナ２を矢印１３の向きに移動させることによって第１開口７から外部の空気を流入させ、射撃領域１４の空気を標的領域１５の方向へ動かして第２開口８から排出させる。コンテナ２の移動はトレーラーなどを利用可能である。この場合、トレーラーが気体移動手段の一部に対応したものになる。
【００５７】
尚、上記の各実施の形態では、第１開口７の高さは床から１３００〜１５００ｍｍとしたが、１３００ｍｍよりも低い位置に設けても良い。
【００５８】
又、上記の各実施の形態では、第１開口７の高さは射手５の顔の高さより低い位置に設けるとしたが、顔の高さと同等の高さとしても良い。
【００５９】
更に、上記の各実施の形態では、第２開口８は、第１開口７よりも高い位置としたが、第１開口７を射手の顔の高さより上に設けて、第２開口８を射手の顔の高さより低い位置に設置するとしても良い。
【００６０】
更に、上記の第１から第３の実施の形態では、第１開口７、第２開口８、気体排出手段９及び気体流入手段３９をそれぞれ一つ設けるとして説明したが、２以上であっても良く、第１開口を複数設けて、第２開口及び気体排出手段を１か所に設けるとしても良い。
【００６１】
更に、上記の各実施の形態では、第１開口７は射手の後方の壁に設けるとしたが、他の壁、天井又は床に設けるとしても良く、第２開口８も同様に、他の壁、天井又は床に設けても良い。
【００６２】
更に、上記の各実施の形態では、コンテナ２として説明したが、包囲された空間を形成する構造物であればコンテナでなくても良い。
【符号の説明】
【００６３】
１…射撃訓練装置
２…コンテナ
３…標的
４…停弾材
７…第１開口
８…第２開口
９…気体排出手段
１４…射撃領域
１５…標的領域
尚、各図中同一符号は同一又は相当部分を示す。
【図１】
2020197344.tif 000003
【図２】
2020197344.tif 000004
【図３】
2020197344.tif 000005
【図４】
2020197344.tif 000006
【図５】
2020197344.tif 000007